(57)【要約】【課題】  様々に変化する天井の色彩、模様等に対応が容易な化粧用のパネル体を有した、天井埋込型空気調和装置を提供する。【解決手段】  天井に吊り具８を介して吊り下げられ、送風機３と、熱交換器５と、ドレンパン７とを有する室内機本体１を備え、この室内機本体１の開口部に化粧パネル９を配置した天井埋込型空気調和装置である。化粧パネル９の吸込口１１に化粧用のパネル体１０を備え、このパネル体１０が、化粧パネル９の吸込口１１に取り付けられる本体５１と、この本体５１に取付け自在な化粧材５３とを含み、この本体５１と化粧材５３とを、パネル体１０の長手方向に延びて、両部材を把持自在な把持部材５５で連結した。【選択図】      図１
2005282950.tif 000002
【特許請求の範囲】
【請求項１】
天井に吊り具を介して吊り下げられ、送風機と、熱交換器と、ドレンパンとを有する室内機本体を備え、この室内機本体の開口部に、化粧パネルを配置した天井埋込型空気調和装置において、前記化粧パネルの吸込口に、化粧用のパネル体を備え、このパネル体が、前記化粧パネルの吸込口に取り付けられる本体と、この本体に取付け自在な化粧材とを含み、この本体と化粧材とを、前記パネル体の長手方向に延びて、両部材を把持自在な把持部材で連結したことを特徴とする天井埋込型空気調和装置。
【請求項２】
天井に吊り具を介して吊り下げられる保持バーと、この保持バーに保持される天井材とで構成されるシステム天井の天井裏に配置されると共に、送風機と、熱交換器と、ドレンパンとを有する室内機本体を備え、この室内機本体を、一部の天井材を取り外して形成された開口に臨ませ、この開口に、前記本体に連結される化粧パネルを配置し、前記本体、及び前記化粧パネルの少なくとも一方に、前記保持バーに係合する位置出し部材を設けると共に、前記化粧パネルの吸込口に、化粧用のパネル体を備え、このパネル体が、前記化粧パネルの吸込口に取り付けられる本体と、この本体に取付け自在な化粧材とを含み、この本体と化粧材とを、前記パネル体の長手方向に延びて、両部材を把持自在な把持部材で連結したことを特徴とする天井埋込型空気調和装置。
【請求項３】
前記把持部材と前記本体との間に前記化粧材を把持したことを特徴とする請求項１又は２記載の天井埋込型空気調和装置。
【請求項４】
前記本体に前記把持部材を連結する連結具と当該把持部材との間に前記化粧材を把持したことを特徴とする請求項１又は２記載の天井埋込型空気調和装置。
【請求項５】
前記把持部材が断面略コ字状の部材で構成されることを特徴とする請求項１乃至４のいずれか一項記載の天井埋込型空気調和装置。
【請求項６】
前記化粧材が天井材と同一素材で構成されることを特徴とする請求項１乃至５のいずれか一項記載の天井埋込型空気調和装置。
【発明の詳細な説明】
【技術分野】
【０００１】
本発明は、天井裏に配置される天井埋込型空気調和装置に関する。
【背景技術】
【０００２】
近年、建築業界では、オフィス賃貸における貸し手、借り手の双方に自由度の高い、いわゆるグリッドシステム天井が提案されている。このグリッドシステム天井は、オフィスをスケルトン貸しして、借り手が自由に、任意のシステム天井を導入できるようにしたものであり、標準仕様で貸し出したオフィスを原状回復してから退去する従来のシステムと比べた場合、コストの削減等に寄与するとされている。
【０００３】
ところで、一般に、遠心送風機の周囲に円形、もしくは多角形で当該送風機を囲むように熱交換器を配置し、送風機の下部から吸った室内空気を、熱交換器を通して熱交換し、この熱交換した空調空気を室内に吹出す形式の天井埋込型空気調和装置が知られている（例えば、特許文献１参照）。
【０００４】
この種のものでは、天井に吊り具を介して室内機本体を吊り下げ、この室内機本体の開口部には化粧パネルを配置する。この化粧パネルの吸込口には、一般に、目隠し及び化粧用のパネル体が設けられるが、このパネル体は設置する天井の色彩、模様等に合わせて、その色彩、模様等を変えることがあり、この場合、従来では、別途準備したパネル体をその化粧パネルの吸込口に取り付けることになる。
【特許文献１】特開平５−１８７６４９号公報
【発明の開示】
【発明が解決しようとする課題】
【０００５】
しかしながら、このような対応では、特に、上述したグリッドシステム天井に、室内機本体を取り付ける場合には、借り手の自由に対応した、様々に変化する天井の色彩、模様等に対応が困難になるという問題がある。
【０００６】
そこで、本発明の目的は、上述した従来の技術が有する課題を解消し、様々に変化する天井の色彩、模様等に対応が容易な化粧用のパネル体を有した、天井埋込型空気調和装置を提供することにある。
【課題を解決するための手段】
【０００７】
本発明は、天井に吊り具を介して吊り下げられ、送風機と、熱交換器と、ドレンパンとを有する室内機本体を備え、この室内機本体の開口部に、化粧パネルを配置した天井埋込型空気調和装置において、前記化粧パネルの吸込口に、化粧用のパネル体を備え、このパネル体が、前記化粧パネルの吸込口に取り付けられる本体と、この本体に取付け自在な化粧材とを含み、この本体と化粧材とを、前記パネル体の長手方向に延びて、両部材を把持自在な把持部材で連結したことを特徴とする。
【０００８】
この場合において、天井に吊り具を介して吊り下げられる保持バーと、この保持バーに保持される天井材とで構成されるシステム天井の天井裏に配置されると共に、送風機と、熱交換器と、ドレンパンとを有する室内機本体を備え、この室内機本体を、一部の天井材を取り外して形成された開口に臨ませ、この開口に、前記本体に連結される化粧パネルを配置し、前記本体、及び前記化粧パネルの少なくとも一方に、前記保持バーに係合する位置出し部材を設けると共に、前記化粧パネルの吸込口に、化粧用のパネル体を備え、このパネル体が、前記化粧パネルの吸込口に取り付けられる本体と、この本体に取付け自在な化粧材とを含み、この本体と化粧材とを、前記パネル体の長手方向に延びて、両部材を把持自在な把持部材で連結してもよい。
【０００９】
また、前記把持部材と前記本体との間に前記化粧材を把持してもよい。更に、前記本体に前記把持部材を連結する連結具と当該把持部材との間に前記化粧材を把持してもよい。前記把持部材が断面略コ字状の部材で構成されていてもよい。また、前記化粧材が天井材と同一素材で構成されていてもよい。
【発明の効果】
【００１０】
本発明では、化粧パネルの吸込口に、化粧用のパネル体を備え、このパネル体が化粧パネルの吸込口に取り付けられる本体と、この本体に取付け自在な化粧材とを含み、この本体と化粧材とを、パネル体の長手方向に延びて、両部材を把持自在な把持部材で連結したから、この把持部材を外せば、化粧材を簡単に交換することができ、様々に変化する天井材の色彩、模様等に対応が容易になる。
【発明を実施するための最良の形態】
【００１１】
以下、本発明の一実施形態を添付図面に従って説明する。
【００１２】
図１は、２つの吹出口を備えた、２方向カセット型と呼称される空気調和装置を示している。１は箱形の室内機本体を示し、この室内機本体１には、送風機３、熱交換器５、発泡スチロール製のドレンパン７、図示を省略したドレンポンプ等の各種機器類が収納されている。この室内機本体１は、被調和室の天井に複数本の吊りボルト８を介して吊り下げられている。この室内機本体１における下側を向いた開口面には、化粧パネル９が取り付けられ、この化粧パネル９は中央が大きく開口し、その開口部には、目隠し及び化粧用のパネル体１０を備えて構成される。そして、パネル体１０の両側隙間に吸込口１１が形成され、その外側に２つの吹出口１２が形成される。１３は風向変更板である。
【００１３】
上記送風機３が駆動されると、実線矢印で示すように、室内空気が、化粧パネル９の吸込口１１から吸い込まれ、熱交換器５に至り、ここで熱交換した後、風向変更板１３で案内されて、２つの吹出口１２から室内に吹出される。
【００１４】
図２は、本空気調和装置をグリッドシステム天井に設置した状態を示す側断面図、図３は、同じく天井裏から見た斜視図、図４は、室内から見た図である。
【００１５】
このグリッドシステム天井は、天井に複数本の吊り具１５、及び吊り金具１６を介して吊り下げられる保持バー（以下、Ｔバーという。）１７を備え、このＴバー１７は、図３に示すように、グリッド状に組まれて、ほぼ水平に天井空間に配設されている。このＴバー１７は、図２に示すように、上部に掴み部１８を備え、下部に受け部１９を備え、これらを連結部２０で連結して構成される。そして、掴み部１８には、吊り金具１６が連結され、この吊り金具１６に吊り具１５が連結される。また、グリッド状に組まれたＴバー１７の受け部１９には、その上面に載せるようにして、例えば、６００×６００ｍｍ又は６４０×６４０ｍｍの大きさの天井材２１が設置される。上述したように、近年、オフィス賃貸における貸し手、借り手の双方に自由度の高いグリッドシステム天井が提案されている。このグリッドシステム天井は、まず、オフィスをスケルトン貸しする。そして、借り手が自由に、上記吊り具１５、及び吊り金具１６を介してＴバー１７を吊り下げ、その受け部１９の上面に、上記大きさの天井材２１を載せることで、任意のシステム天井を導入する。これによれば、標準仕様で貸し出したオフィスを原状回復してから退去する従来のシステムと比べた場合、コストが大幅に削減される。
【００１６】
本構成では、図３に示すように、天井空間の任意の位置における、Ｔバー１７ＡとＴバー１７Ｂとの間の一本のＴバー（図示せず）を取り外すと共に、そこに位置する上記大きさの天井材２１を２枚取り外す。そして、天井材２１を２枚取り外した後の、例えば、６００×１２００ｍｍ又は６４０×１２８０ｍｍの大きさの開口２２に、上記室内機本体１、及び上記化粧パネル９を組み付ける。
【００１７】
これら室内機本体１、及び化粧パネル９は、グリッドシステム天井の天井材２１の大きさに対応させて、その筐体の大きさを設定しておくことが望ましく、例えば、天井材２１を１枚取り外した場合に対応するサイズ、或いは天井材２１を２枚取り外した場合に対応するサイズ、等として準備することが望ましい。
【００１８】
本構成では、図２に示すように、室内機本体１の側面（４カ所）に、上述したＴバー１７に係合する位置出し部材２５が設けられる。この位置出し部材２５は、ねじ２６を介して室内機本体１に固定されており、Ｔバー１７の掴み部１８における内外側部の内、外側部に当接する外側部当接材２５Ａと、内側部に当接する内側部当接材２５Ｂとを備えて構成される。本構成では、外側部当接材２５Ａと内側部当接材２５Ｂとの間に、Ｔバー１７の掴み部１８が挟まれる格好になる。施工手順を説明すると、任意の位置におけるグリッドシステム天井の天井材２１を取り外し、そこに形成された開口２２に、室内機本体１が臨むようにして、当該室内機本体１を天井から吊り具１５を介して吊り下げる。そして、位置出し部材２５における、外側部当接材２５Ａと内側部当接材２５Ｂとの間に、Ｔバー１７の掴み部１８を挟ませて、この位置出し部材２５を、室内機本体１の側面にねじ２６を介して固定する。ついで、化粧パネル９の外周のつば部（一部）９Ａを、Ｔバー１７の受け部１９の下面に当接させて、当該受け部１９を覆うようにして、この化粧パネル９を、室内機本体１の下面に結合する。この状態になると、室内機本体１とＴバー１７との間が、位置出し部材２５を介して連結される。
【００１９】
一般に、この種のシステム天井では一枚でも天井材２１を取り外すと、天井全体の強度バランスが崩れる傾向がある。本構成では、２枚の天井材２１だけでなく、そのほかにも、１本のＴバー１７が取り外されている。
【００２０】
しかし、本構成では、位置出し部材２５を介して、室内機本体１とＴバー１７との間が連結され、図４に示すように、室内機本体１を通じてＴバー１７間が強固に連結されるため、天井全体の強度バランスを保つことができ、いわゆるシステム天井の天井裏に、室内機本体１を安定的に設置することができる。
【００２１】
本実施形態では、化粧パネル９の吸込口１１に、上述したように、目隠し及び化粧用のパネル体１０を備え、このパネル体１０が、図５及び図６に示すように、化粧パネル９の吸込口１１に取り付けられる本体５１と、この本体５１に取付け自在な化粧材５３とを含み、この本体５１と化粧材５３とが、両部材５１，５３を両側から把持自在な断面略コ字状の把持部材５５で連結される。この把持部材５５は、パネル体１０の長手方向に延びており、化粧材５３は、この把持部材５５と本体５１との間に直接把持される。このパネル体１０の組み付け手順を説明すると、図６に示すように、任意に選択された化粧材５３の上に本体５１を載せ、この本体５１の端部５１Ａを化粧材５３に当接させた状態で、側方から差し込むようにして、断面略コ字状の把持部材５５を取り付ける。この場合、化粧材５３の表面の側縁には、長手方向に延びる凹部５３Ａが形成されており、この凹部５３Ａに把持部材５５の一部５５Ａが嵌合する。そして、最後に、ねじ５７を締め付け、これによって把持部材５５と本体５１とを連結する。
【００２２】
図７及び図８は、別の実施形態を示す。このパネル体１０は、本体５１の内側に化粧材５３を嵌合し、この本体５１と化粧材５３とを、その両側から断面略コ字状の把持部材５５により把持するよう構成される。この構成では、化粧材５３の厚さが厚くなった場合に好適であり、特に、図５及び図６の構成と比較した場合、化粧材５３の表面の側縁にわざわざ凹部５３Ａを形成しなくてもよい。この把持部材５５は、パネル体１０の長手方向に延びており、化粧材５３は、本体５１に把持部材５５を連結するねじ（連結具）５９の頭と、当該把持部材５５との間に把持される。
【００２３】
このパネル体１０の組み付け手順を説明すると、図８に示すように、任意に選択された化粧材５３の上に本体５１をかぶせて、この本体５１を化粧材５３に当接させた状態で、側方から差し込むようにして、断面略コ字状の把持部材５５を取り付ける。そして、最後に、ねじ５９を締め付け、把持部材５５と本体５１とを連結すると共に、その頭部５９Ａによって、化粧材５３を保持する。
【００２４】
以上の各構成では、図４に示すように、任意の位置における天井材２１を２枚取り外して、その位置に、室内機本体１、及び化粧パネル９を取り付けているため、この化粧パネル９におけるパネル体１０の化粧材５３の面積はかなり大きくなり、従って、当該パネル体１０の化粧材５３の色彩、模様等も、天井材２１の色彩、模様等に合わせて、例えば、それと同一素材で構成することが要求される。
【００２５】
これら実施形態では、化粧材５３の組み付けが容易になると共に、パネル体１０を分解するときも、上記とまったく逆の手順で簡単に分解することができるため、化粧材５３の取り外しもまた容易である。従って、現場作業によって、これら化粧材５３の交換をきわめて簡単に行うことができるため、設置する天井の色彩、模様等に合わせて、化粧材５３の色彩、模様等を簡単に変えることができる。
【００２６】
よって、従来のように、色彩、模様等に合わせて、パネル体を別途準備する必要がなくなり、製造、及び管理コストの低減を図ることができる。特に、上述したグリッドシステム天井に、室内機本体１を取り付ける場合には、借り手の自由に対応した、様々に変化する天井の色彩、模様等に、化粧材５３の色彩、模様等を簡単に合わせることができるため、設計施工の自由度を増すことができる。
【００２７】
図９は、別の構成を示す。
【００２８】
この構成では、位置出し部材２５が、上下方向に微調整自在に形成され、しかも、外側部当接材２５Ａが、Ｔバー１７に対し接離自在に形成され、さらに、内側部当接材２５Ｂが、Ｔバー１７に対し接離自在に形成されている。すなわち、位置出し部材２５が、垂直部２５Ｃと水平部２５Ｄとを含み、垂直部２５Ｃには、ねじ２６のねじ孔２６Ａが上下方向に長孔に形成されている。また、外側部当接材２５Ａは、水平部２５Ｄに取り付けられたねじ２８で構成され、このねじ２８は水平方向に突出自在に形成されている。内側部当接材２５Ｂは、ねじ２９を介して、水平部２５Ｄに取り付けられ、この水平部２５Ｄに設けられた、ねじ２９のねじ孔２９Ａは水平方向に長孔に形成されている。本構成では、室内機本体１とＴバー１７との位置関係が、施工状況によって、微妙にずれても、位置出し部材２５に取り付けられた、外側部当接材２５Ａ、又は内側部当接材２５Ｂ、さらには位置出し部材２５自体が、位置を微調整自在に構成されるため、位置ずれを簡単に吸収して取り付けが容易になる。
【００２９】
以上、一実施形態に基づいて本発明を説明したが、本発明は、これに限定されるものではない。例えば、本発明は、グリッドシステム天井に設置されるものに限定されず、すべての天井埋込型空気調和装置に適用可能である。
【図面の簡単な説明】
【００３０】
【図１】本発明の一実施形態を示す断面図である。
【図２】同じく側面図である。
【図３】天井裏から見た斜視図である。
【図４】室内から見た図である。
【図５】パネル体を示す断面図である。
【図６】パネル体を示す断面図である。
【図７】パネル体を示す断面図である。
【図８】パネル体を示す断面図である。
【符号の説明】
【００３１】
１  室内機本体
３  送風機
５  熱交換器
７  ドレンパン
９  化粧パネル
１０  パネル体
１１  吸込口
１７  Ｔバー（保持バー）
２１  天井材
２５  位置出し部材
５１  本体
５３  化粧材
５５  把持部材
５９  ねじ（連結具）
【図１】
2005282950.tif 000003
【図２】
2005282950.tif 000004
【図３】
2005282950.tif 000005
【図４】
2005282950.tif 000006
【図５】
2005282950.tif 000007
【図６】
2005282950.tif 000008
【図７】
2005282950.tif 000009
【図８】
2005282950.tif 000010